(57)【要約】【課題】ユーザに対して操作感を付与することが可能であり、かつ、耐久性に優れるセンサ装置を提供する。【解決手段】上記目的を達成するため、センサ装置は入力操作部とセンサ素子とを具備する。上記入力操作部は、押圧部と、複数の突起部と、を有し、上記押圧部は操作子による操作を受ける第１の面と当該第１の面とは反対の第２の面とを含み、上記複数の突起部は、上記第１の面が操作子により第１の押圧力を受ける第１の状態と、上記第１の面が操作子により上記第１の押圧力よりも大きい第２の押圧力を受ける第２の状態とで、操作子に対して反作用として加わる圧力の分布が異なるように構成されている。上記センサ素子は、上記第２の面に対向配置され、上記第１の状態と上記第２の状態とで異なる信号を出力する。【選択図】図２
2013156095.tif 000002
【特許請求の範囲】
【請求項１】
押圧部と、複数の突起部と、を有し、前記押圧部は操作子による操作を受ける第１の面と当該第１の面とは反対の第２の面とを含み、前記複数の突起部は、前記第１の面が操作子により第１の押圧力を受ける第１の状態と、前記第１の面が操作子により前記第１の押圧力よりも大きい第２の押圧力を受ける第２の状態とで、操作子に対して反作用として加わる圧力の分布が異なるように構成されている入力操作部と、
前記第２の面に対向配置され、前記第１の状態と前記第２の状態とで異なる信号を出力するセンサ素子と、
を具備するセンサ装置。
【請求項２】
請求項１に記載のセンサ装置であって、
前記センサ素子は、操作子の近接により静電容量が変化する容量素子である
センサ装置。
【請求項３】
請求項１に記載のセンサ装置であって、
前記センサ素子は、前記第２の押圧力を受けることで相互に接触可能な１対の電極を有する接触式センサ素子である
センサ装置。
【請求項４】
請求項１に記載のセンサ装置であって、
前記複数の突起部は、前記第１の面に形成され、第１の突起部と、当該第1の突起部よりも低い第２の突起部と、により構成されている
センサ装置。
【請求項５】
請求項１に記載のセンサ装置であって、
前記押圧部は弾性変形可能であり、
前記入力操作部は、前記第２の面と前記センサ素子との間に配置された支持部と、前記第２の面に前記支持部を挟んで対向する第３の面と、をさらに有し、
前記複数の突起部は、前記第３の面に形成されている
センサ装置。
【請求項６】
請求項５に記載のセンサ装置であって、
前記押圧部における前記複数の突起部に対向する位置にそれぞれ開口部が形成されている
センサ装置。
【請求項７】
請求項１に記載のセンサ装置であって、
前記押圧部は弾性変形可能であり、
前記複数の突起部は前記第１の面に形成されている
センサ装置。
【請求項８】
請求項７に記載のセンサ装置であって、
前記入力操作部は、前記第２の面と前記センサ素子との間に配置された支持部と、前記第２の面に前記支持部を挟んで対向する第３の面と、をさらに有し、
前記複数の突起部は、前記第１の面に形成された第１の突起部と、前記第３の面に形成された第２の突起部と、により構成されている
センサ装置。
【請求項９】
押圧部と、複数の突起部と、を有し、前記押圧部は操作子による操作を受ける第１の面と当該第１の面とは反対の第２の面とを含み、前記複数の突起部は、前記第１の面が操作子により第１の押圧力を受ける第１の状態と、前記第１の面が操作子により前記第１の押圧力よりも大きい第２の押圧力を受ける第２の状態とで、操作子に対して反作用として加わる圧力の分布が異なるように構成されている入力操作部と、
前記第２の面に対向配置され、前記第１の状態と前記第２の状態とで異なる入力信号を出力するセンサ素子と、
前記入力信号に基づいて前記第１の状態から前記第２の状態への変化を判定する判定部を有するコントローラと、
を具備する入力装置。
【請求項１０】
請求項９に記載の入力装置であって、
前記コントローラは、前記判定部が前記変化を判定したときに操作信号を生成する信号生成部をさらに有する
入力装置。
【請求項１１】
押圧部と、複数の突起部と、を有し、前記押圧部は操作子による操作を受ける第１の面と当該第１の面とは反対の第２の面とを含み、前記複数の突起部は、前記第１の面が操作子により第１の押圧力を受ける第１の状態と、前記第１の面が操作子により前記第１の押圧力よりも大きい第２の押圧力を受ける第２の状態とで、操作子に対して反作用として加わる圧力の分布が異なるように構成されている入力操作部と、
前記第２の面に対向配置され、前記第１の状態と前記第２の状態とで異なる入力信号を出力するセンサ素子と、
前記入力信号に基づいて前記第１の状態から前記第２の状態への変化を判定する判定部と、当該判定部が前記変化を判定したときに操作信号を生成する信号生成部と、を有するコントローラと、
前記操作信号に基づいて指令信号を生成する処理装置と、
前記指令信号に基づいた出力を行う出力装置と、
を具備する電子機器。
【請求項１２】
請求項１１に記載の電子機器であって、
前記出力装置は表示装置であり、当該表示装置は前記指令信号に基づいた画像を表示する
電子機器。
【発明の詳細な説明】
【技術分野】
【０００１】
本技術は、ユーザに対して操作感を付与することが可能なセンサ装置、入力装置及び電子機器に関する。
【背景技術】
【０００２】
入力装置には、ユーザに対して操作感を付与することにより、ユーザによる操作の正確性を向上させるものがある（例えば、特許文献１参照。）。
【０００３】
特許文献１に開示された入力装置は互いに対向するシート部と基板とを有する。この入力装置は、シート部と基板との間にゴム部材を挟持している。シート部には複数の開口部が形成されている。この入力装置は、ユーザがシート部を基板側に押圧すると、シート部と基板との間で圧迫されたゴム部材がシート部の開口部から隆起するように構成されている。したがって、シート部を押圧するユーザは、隆起するゴム部材の触感（操作感）を受ける。
【先行技術文献】
【特許文献】
【０００４】
【特許文献１】特開２００９−２７９８２５号公報
【発明の概要】
【発明が解決しようとする課題】
【０００５】
しかしながら、特許文献１に記載の入力装置では、ユーザがシート部を押圧する度に開口部からゴム部材が隆起する。そのため、ユーザがシート部を押圧する回数を重ねるにつれて、シート部の開口部の磨耗やゴム部材の劣化が生じる。
【０００６】
以上のような事情に鑑み、本技術の目的は、ユーザに対して操作感を付与することが可能であり、かつ、耐久性に優れるセンサ装置、入力装置及び電子機器を提供することにある。
【課題を解決するための手段】
【０００７】
上記目的を達成するため、本技術の一形態に係るセンサ装置は入力操作部とセンサ素子とを具備する。
上記入力操作部は、押圧部と、複数の突起部と、を有し、上記押圧部は操作子による操作を受ける第１の面と当該第１の面とは反対の第２の面とを含み、上記複数の突起部は、上記第１の面が操作子により第１の押圧力を受ける第１の状態と、上記第１の面が操作子により上記第１の押圧力よりも大きい第２の押圧力を受ける第２の状態とで、操作子に対して反作用として加わる圧力の分布が異なるように構成されている。
上記センサ素子は、上記第２の面に対向配置され、上記第１の状態と上記第２の状態とで異なる信号を出力する。
この構成により、上記センサ装置は、上記第１の状態と上記第２の状態とでユーザに対して異なる操作感を付与することが可能となる。
【０００８】
上記センサ素子は、操作子の近接により静電容量が変化する容量素子であってもよい。
この構成により、上記センサ装置は、上記第１の状態と上記第２の状態とで上記静電容量に基づく信号を出力することが可能となる。
【０００９】
上記センサ素子は、上記第２の押圧力を受けることで相互に接触可能な１対の電極を有する接触式センサ素子であってもよい。
この構成により、上記センサ装置は、上記第１の状態と上記第２の状態とで上記１対の電極の当接の有無に基づく信号を出力することが可能となる。
【００１０】
上記複数の突起部は、上記第１の面に形成され、第１の突起部と、当該第１の突起部よりも低い第２の突起部と、により構成されていてもよい。
この構成により可動部を設ける必要がなくなるため上記センサ装置の耐久性が向上する。
【００１１】
上記押圧部は弾性変形可能であり、上記入力操作部は、上記第２の面と上記センサ素子との間に配置された支持部と、上記第２の面に上記支持部を挟んで対向する第３の面と、を有し、上記複数の突起部は、上記第３の面に形成されていてもよい。
この構成により、上記第２の状態において上記複数の突起部によりユーザに対して刺激を加えることが可能となる。
【００１２】
上記押圧部における上記複数の突起部に対向する位置にそれぞれ開口部が形成されていてもよい。
この構成により、上記第２の状態において上記複数の突起部によりユーザに対してより強い刺激を加えることが可能となる。
【００１３】
上記押圧部は弾性変形可能であり、上記複数の突起部は上記第１の面に形成されていてもよい。
この構成により、上記センサ装置は、上記第１の状態と上記第２の状態とでユーザに対して異なる操作感を付与することが可能となる。
【００１４】
上記入力操作部は、上記第２の面と上記センサ素子との間に配置された支持部と、上記第２の面に上記支持部を挟んで対向する第３の面と、を有し、上記複数の突起部は、上記第１の面に形成された第１の突起部と、上記第３の面に形成された第２の突起部と、により構成されていてもよい。
この構成により、上記第２の状態において、予測とは異なる感触をユーザに付与することが可能となる。
【００１５】
また、本技術の一形態に係る入力装置は入力操作部とセンサ素子とコントローラとを具備する。
上記入力操作部は、押圧部と、複数の突起部と、を有し、上記押圧部は操作子による操作を受ける第１の面と当該第１の面とは反対の第２の面とを含み、上記複数の突起部は、上記第１の面が操作子により第１の押圧力を受ける第１の状態と、上記第１の面が操作子により上記第１の押圧力よりも大きい第２の押圧力を受ける第２の状態とで、操作子に対して反作用として加わる圧力の分布が異なるように構成されている。
上記センサ素子は、上記第２の面に対向配置され、上記第１の状態と上記第２の状態とで異なる入力信号を出力する。
上記コントローラは、上記入力信号に基づいて上記第１の状態から上記第２の状態への変化を判定する判定部を有する。
この構成により、上記入力装置は、上記第１の状態と上記第２の状態とを判定可能となるとともに、上記第１の状態と上記第２の状態とでユーザに対して異なる操作感を付与することが可能となる。
【００１６】
上記コントローラは、上記判定部が上記変化を判定したときに操作信号を生成する信号生成部をさらに有してもよい。
この構成により、上記入力装置は、様々な電子機器に適用可能となる。
【００１７】
また、本技術の一形態に係る電子機器は入力操作部とセンサ素子とコントローラと処理装置と出力装置とを具備する。
上記入力操作部は、押圧部と、複数の突起部と、を有し、上記押圧部は操作子による操作を受ける第１の面と当該第１の面とは反対の第２の面とを含み、上記複数の突起部は、上記第１の面が操作子により第１の押圧力を受ける第１の状態と、上記第１の面が操作子により上記第１の押圧力よりも大きい第２の押圧力を受ける第２の状態とで、操作子に対して反作用として加わる圧力の分布が異なるように構成されている。
上記センサ素子は、上記第２の面に対向配置され、上記第１の状態と上記第２の状態とで異なる入力信号を出力する。
上記コントローラは、上記入力信号に基づいて上記第１の状態から上記第２の状態への変化を判定する判定部、及び、当該判定部が上記変化を検出したときに操作信号を生成する信号生成部を有する。
上記処理装置は、上記操作信号に基づいて指令信号を生成する。
上記出力装置は、上記指令信号に基づいた出力を行う。
この構成により、上記電子機器は、上記第１の状態と上記第２の状態とを判定可能となるとともに、上記第１の状態と上記第２の状態とでユーザに対して異なる操作感を付与することが可能となる。
【００１８】
上記出力装置は表示装置であり、当該表示装置は上記指令信号に基づいた画像を表示してもよい。
この構成により、上記電子機器は、ユーザによる入力装置への操作に基づいた画像を表示装置に表示可能となる。
【発明の効果】
【００１９】
以上のように、本技術によれば、ユーザに対して操作感を付与することが可能であり、かつ、耐久性に優れるセンサ装置、入力装置及び電子機器を提供することができる。
【図面の簡単な説明】
【００２０】
【図１】本技術の第１の実施形態に係る入力装置の平面図である。
【図２】図１に示した入力装置のＡ−Ａ’線に沿った断面図である。
【図３】図１に示した入力装置を用いた電子機器のブロック図である。
【図４】図１に示した入力操作部の構成例を示した図である。
【図５】図１に示した入力操作部の変形例を示した図である。
【図６】図１に示した入力操作部の製造方法を示した図である。
【図７】入力操作部の製造方法の変形例を示した図である。
【図８】図１に示した入力装置の電極構成を示した図である。
【図９】入力装置の電極構成の変形例を示した図である。
【図１０】図１に示した入力装置の出力信号の一例を示した図である。
【図１１】図１に示した入力装置の一例を示した平面図である。
【図１２】入力装置の電極構成の変形例を示した図である。
【図１３】図１に示した入力装置を用いたパーソナルコンピュータの概略構成図である。
【図１４】図１３に示したパーソナルコンピュータの概略構成図である。
【図１５】図１３に示したパーソナルコンピュータの概略構成図である。
【図１６】図１３に示したパーソナルコンピュータの概略構成図である。
【図１７】本技術の第２の実施形態に係る入力装置の断面図である。
【図１８】比較例１に係る入力装置の断面図である。
【図１９】図１８に示した入力装置におけるキートップの変位と指に加わる反力との関係を示した図である。
【図２０】比較例１に係る入力装置の断面図である。
【図２１】本技術の第３の実施形態に係る入力装置の断面図である。
【図２２】本技術の第４の実施形態に係る入力装置の断面図である。
【図２３】本技術の第５の実施形態に係る入力装置の断面図である。
【図２４】本技術の第６の実施形態に係る入力装置の断面図である。
【発明を実施するための形態】
【００２１】
以下、本技術に係る実施形態を、図面を参照しながら説明する。図面には相互に直交するＸ軸、Ｙ軸、およびＺ軸が示され、これらは各実施形態ごとに共通の軸である。
【００２２】
＜第１の実施形態＞
［全体構成］
図１は、本技術の第１の実施形態に係る入力装置１における１ユニットを示す部分平面図であり、図２は図１のＡ−Ａ’線に沿った入力装置１の部分断面図であり、図３は入力装置１を用いた電子機器ｚのブロック図である。
【００２３】
入力装置１は、平板状に形成されており、容量素子１１と、入力操作部１４と、を備える。容量素子１１及び入力操作部１４は相互キャパシタンス方式の静電容量型のセンサ装置を構成する。入力操作部１４は、ユーザの指ｆによる操作を受ける押圧部である。容量素子１１は、ユーザによる入力操作部１４への操作に伴う操作子である指ｆの近接により、静電容量が変化する。
【００２４】
本実施形態では、操作子の一例としてユーザの指ｆを挙げて説明する。しかし、操作子は、ユーザが知覚可能であればよく、ユーザの指ｆ以外の体の部位でもよい。
【００２５】
入力装置１はコントローラｃを有し、当該コントローラｃは判定部ｃ１及び信号生成部ｃ２を含む。判定部ｃ１は、基準となる静電容量からの容量素子１１の静電容量の変化量に基づいて、入力操作部１４にどのような操作がなされたかを判定する。信号生成部ｃ２は、判定部ｃ１の判定に基づいて操作信号を生成する。
【００２６】
図３に示す電子機器ｚは、入力装置１の信号生成部ｃ２の生成する操作信号に基づいた処理を行う処理装置ｐと、当該処理装置ｐによって動作させられる出力装置ｏと、を有する。
【００２７】
［入力装置］
入力操作部１４は、ユーザによる操作を受ける第１の面（Ｚ軸方向上側の面）と、容量素子１１に接着された第２の面（Ｚ軸方向下側の面）と、を有する。容量素子１１はＸ電極１２及びＹ電極１３を有する。Ｘ電極１２はＹ電極１３より入力操作部１４側（Ｚ軸方向上側）に配置されている。
【００２８】
容量素子１１は、Ｘ電極１２が形成された基板と、Ｙ電極１３が形成された基板と、を含む複数の基材が積層されて構成されている。基材を形成する材料としては、例えば、ＰＥＴ（ポリエチレンテレフタレート）、ＰＥＮ（ポリエチレンナフタレート）、ＰＩ（ポリイミド）、ＰＣ（ポリカーボネート）等のプラスチック材料が挙げられる。
【００２９】
入力操作部１４は、均一な厚さに形成された平坦部１４ａと、当該平坦部１４ａからＺ軸方向上方に突出する２つの突起部１４ｂ，１４ｃと、を備える。第１の突起部１４ｂはＺ軸方向上方に延びる略正方形状の枠として構成され、その内側に凹部１４ｄを形成している。第２の突起部１４ｃは、凹部１４ｄ内の四隅近傍にそれぞれ形成され、Ｚ軸方向上方に延びる４本の円柱として構成される。第１の突起部１４ｂは、Ｚ軸方向の高さ、Ｘ軸及びＹ軸方向の寸法ともに第２の突起部１４ｃより大きく形成されている。
【００３０】
第１の突起部１４ｂにより形成される凹部１４ｄの一辺の長さＷは、適宜決定可能であるが、本実施形態ではＷ＝１０ｍｍとした。また、本実施形態では、第１の突起部１４ｂと第２の突起部１４ｃとの距離、及び第２の突起部１４ｃ同士の距離はともに、１ｍｍ〜２ｍｍ程度とした。例えば、幅１０ｍｍの間に９個の突起部１４ｂ，１４ｃを設ける場合には突起部１４ｂ，１４ｃの間隔を１ｍｍとし、幅１０ｍｍの間に４個の突起部１４ｂ，１４ｃを設ける場合には突起部１４ｂ，１４ｃの間隔を２ｍｍとする。
【００３１】
入力操作部１４は、指ｆによる操作を受けても容易に変形しない絶縁体材料で形成される。そのような材料としては、例えば、ポリエチレンテフタレートやシリコンやポリエチレンやポリプロピレンやアクリルやポリカーボネートやゴム材料が挙げられる。入力操作部１４の形成には、例えば、上記材料で形成されたフィルムや成型体や繊維布が用いられる。
【００３２】
図２（Ｂ）は、入力操作部１４がユーザの指ｆによるタッチ操作を受けているタッチ状態（第１の状態）を示している。タッチ状態では、指ｆは入力操作部１４に対して非常に小さい力を及ぼしている。このとき、指ｆは第１の突起部１４ｂに接触しているものの、凹部１４ｄ内に入り込んでいないため、第２の突起部１４ｃには接触していない。したがって、タッチ状態では、第１の突起部１４ｂは指ｆに対して圧力を加えているものの、第２の突起部１４ｃは指ｆに対して圧力を加えていない。
【００３３】
図２（Ｂ）に示すタッチ状態の容量素子１１の静電容量は、導電体である指ｆの影響により、図２（Ａ）に示す指ｆの影響がない状態の容量素子１１の静電容量よりも低くなる。
【００３４】
図２（Ｃ）は、入力操作部１４が指ｆによるプッシュ操作を受けているプッシュ状態（第２の状態）を示している。図２（Ｃ）に示すプッシュ状態では、図２（Ｂ）に示すタッチ状態から、指ｆが入力操作部１４にＺ軸方向下方に押し付けられることより、指ｆが変形して凹部１４ｄに入り込むとともに第２の突起部１４ｃに接触する。したがって、プッシュ状態では、第１の突起部１４ｂに加えて第２の突起部１４ｃも指ｆに対して圧力を付与している。
【００３５】
このように、プッシュ状態ではタッチ状態よりも、指ｆが容量素子１１に近接する。そのため、図２（Ｃ）に示すプッシュ状態の容量素子１１の静電容量は、図２（Ｂ）に示すタッチ状態の容量素子１１の静電容量よりもさらに低くなる。
【００３６】
本実施形態では、タッチ状態とプッシュ状態とで、指ｆに入力操作部１４から反作用として加わる圧力の分布が異なる。これにより、ユーザは、プッシュ状態とタッチ状態とで異なる感触（操作感）を受けるため、タッチ状態とプッシュ状態とを直感的に識別可能である。
【００３７】
コントローラｃの判定部ｃ１（図３参照）は、ユーザが入力操作部１４の感触によってタッチ状態とプッシュ状態とを識別するタイミングに合わせて、タッチ状態とプッシュ状態とを判定可能なように構成されている。
【００３８】
なお、入力装置１は、タッチ状態で動作し、プッシュ状態で動作しない第１のモードと、プッシュ状態で動作し、タッチ状態で動作しない第２のモードと、を切り替え可能な構成を有していてもよい。この場合、例えば、第１のモードと第２のモードとの切り替えスイッチが、入力装置１や処理装置ｐに設けられていてもよい。
【００３９】
（入力操作部）
タッチ状態からプッシュ状態になる際の静電容量の変化量は、指ｆが凹部１４ｂに入り込むＺ軸方向の深さに依存する。判定部ｃ１（図３参照）が、プッシュ状態かタッチ状態かを判定するためには、静電容量の変化量が十分に大きい必要がある。そのため、第１の突起部１４ｂと第２の突起部１４ｃとのＺ軸方向の高さの差Ｈｓが所定以上の大きさであることが要求される。具体的には、上述の第１の突起部１４ｂにより形成される凹部１４ｄの一辺の長さＷを用い、Ｈｓ＞０．１×Ｗの関係を満たしていることが望ましい。
【００４０】
入力装置１は、図１に示す部分を１ユニットとし、１ユニット以上で構成される。入力装置１は、例えば、図４に示すように図１に示すユニットがＸ軸方向及びＹ軸方向に任意数並べられた行列を形成していてもよい。
【００４１】
第１の突起部１４ｂと第２の突起部１４ｃとにより形成される入力操作部１４の各ユニットの表面形状は図１に示す形状以外にも、あらゆる形状とすることが可能である。
【００４２】
入力操作部１４の各ユニットの表面形状は、例えば、図５（Ａ）に示すようなＹ軸方向にそれぞれ延びる第１の突起部１４ｂと第２の突起部１４ｃとがＸ軸方向に交互に並んだ形状、図５（Ｂ）に示すような図５（Ａ）の各突起部１４ｂ，１４ｃがＹ軸方向の所定の間隔で分割された形状と、図５（Ｃ）に示すような相対的に大径の円柱形状に形成された第１の突起部１４ｂ列と相対的に小径の円柱形状に形成された第２の突起部１４ｃ列とがＸ軸方向に交互に並んだ形状とすることも可能である。
【００４３】
また、入力操作部１４の各ユニットの表面形状は、図５（Ｄ）に示すような第１の突起部１４ｂに円形に形成された複数の凹部１４ｄ内の中央部にそれぞれ円柱状の第２の突起部１４ｃが形成された形状、図５（Ｅ）に示すような第１の突起部１４ｂに楕円形に形成された複数の凹部１４ｄ内に楕円柱状の第２の突起部１４ｃが形成された形状とすることも可能である。
【００４４】
さらに、入力操作部１４の各ユニットの表面形状は、図５（Ｆ）に示すような互いに同径に形成された円柱状の第１の突起部１４ｂと第２の突起部１４ｃとがＸ軸方向及びＹ軸方向に交互に配置された形状とすることも可能である。
【００４５】
そして、入力操作部１４の各ユニットの表面形状は、図５（Ｇ）に示すような矩形状の枠をなす第１の突起部１４ｂ内に壁状の第２の突起部１４ｃが形成された形状、図５（Ｈ）に示すような矩形状の枠をなす第１の突起部１４ｂ内にエンボス文字を含む第２の突起部１４ｃを有する形状、図５（Ｉ）に示すような多角形状の枠をなす第１の突起部１４ｂを有する形状のいずれとすることも可能である。
【００４６】
一方、入力操作部１４の各ユニットの表面形状は、上述した形状の第１の突起部１４ｂと第２の突起部１４ｃとが互いに逆に配置された形状とすることも可能である。いずれの場合にも、第１の突起部１４ｂの間隔Ｗと、及び第１の突起部１４ｂと第２の突起部１４ｃとのＺ軸方向の高さの差Ｈｓは、Ｈｓ＞０．１×Ｗの関係を満たしていることが望ましい。
【００４７】
（入力操作部の製造方法）
図６は本実施形態に係る入力装置１の入力操作部１４の製造方法を示す図である。まず、図６（Ａ）に示すように、透明板Ｔ上にＵＶ樹脂Ｒ１を配置する。樹脂Ｒ１としては、固形のシート材料を用いても、液状のＵＶ硬化性材料を用いてもよい。そして、図６（Ｂ）に示すように、所定の凹凸形状のパターンが形成されたロール状の金型１０１によりＵＶ樹脂Ｒ１に金型１０１の凹凸形状のパターンを転写するとともに、透明板Ｔ側からＵＶ照射を行ってＵＶ樹脂Ｒ１を硬化させる。そして、図６（Ｃ）に示すように、透明板ＴからＵＶ樹脂Ｒ１を剥がし、入力操作部１４を取り出す。
【００４８】
図７は入力操作部の製造方法の変形例を示す図である。まず、図７（Ａ）に示すように、所定形状の射出成形金型１０２を用意する。そして、図７（Ｂ）に示すように、溶融状態の熱可塑性樹脂Ｒ２を注入口１０２ａから金型１０２内に注入することにより樹脂Ｒ２を射出成形する。そして、図７（Ｃ）に示すように、樹脂材料Ｒ２を射出成形金型１０２から離型し、入力操作部１１４を取り出す。
【００４９】
（容量素子の電極構成）
図８は、入力装置１のＺ軸方向上側から見た平面図であり、容量素子１１内のＸ電極１２及びＹ電極１３のみを示している。Ｘ電極１２及びＹ電極１３は、いわゆるクロスマトリックス型の構成によって形成されている。入力装置１は、そのＹ軸方向の全範囲にわたって延びるｎ列のＸ電極１２と、そのＸ軸方向の全範囲にわたって延びるｍ行のＹ電極１３と、を備える。Ｘ電極１２は入力装置１のＸ軸方向の全範囲にわたって配列され、Ｙ軸電極は入力装置１のＹ軸方向の全範囲にわたって配列されている。なお、電極の配列は必ずしも等間隔で配列されていなくてもよく、各キーの位置に合わせて配列のピッチを変える事も可能である。
【００５０】
入力装置１には、Ｘ電極１２とＹ電極１３とが互いに交差する各位置に、それぞれ図２に示す容量素子１１が形成される。したがって、入力装置１は、ｎ×ｍ個の容量素子１１（図２参照）を備える。互いに等しい面積の入力操作部１４を有する入力装置の場合、ｎ及びｍの値が大きい方が、ＸＹ平面における容量素子１１の密度が高くなるため、より操作位置を正確に検出することができるようになる。
【００５１】
なお、本実施形態に係る入力装置１は、相互キャパシタンス方式を採用しているが、いわゆるマルチタッチ方式でなく、入力操作部１４への操作が複数の位置で同時に行われないシングルタッチ方式の場合には、自己キャパシタンス方式を採用することができる。
【００５２】
図９は自己キャパシタンス方式を採用した場合の電極構成を示す図である。Ｘ電極１２ａ及びＹ電極１３ａは、互いにＺ軸方向に重なり合わないように並べられた菱形電極である。Ｘ電極１２ａはＹ軸方向に延びるｎ本の列をなしており、Ｙ電極１３ａはＸ軸方向に延びるｍ本の行をなしている。なお、入力装置１に自己キャパシタンス方式を採用した場合には、図２（Ｂ）に示すタッチ状態での容量素子１１の静電容量は図２（Ａ）に示す状態での容量素子１１の静電容量より高くなり、図２（Ｃ）に示すプッシュ状態での容量素子１１の静電容量は図２（Ｂ）に示すタッチ状態での容量素子１１の静電容量より高くなる。
【００５３】
（コントローラ）
コントローラｃは、典型的には、ＣＰＵ（Ｃｅｎｔｒａｌ  Ｐｒｏｃｅｓｓｉｎｇ  Ｕｎｉｔ）あるいはＭＰＵ（Ｍｉｃｒｏ−Ｐｒｏｃｅｓｓｉｎｇ  Ｕｎｉｔ）で構成される。本実施形態においてコントローラｃは、判定部ｃ１と信号生成部ｃ２とを有し、不図示の記憶部に格納されたプログラムに従って各種機能を実行する。判定部ｃ１は、容量素子１１から出力される電気的な信号（入力信号）に基づいて入力操作部１４の状態を判断し、信号生成部ｃ２は、その判断結果に基づいて操作信号を生成する。また、コントローラｃは、入力装置１を駆動するための駆動回路を有する。
【００５４】
図１０は、容量素子１１からの出力信号の一例を示す図である。図１０におけるＸ軸に沿って示す棒グラフは、各Ｘ電極１２が形成する任意の容量素子１１における基準となる静電容量からの静電容量の変化量を示している。また、図１０におけるＹ軸に沿って示す棒グラフは、各Ｙ電極１３が形成する任意の容量素子１１における基準となる静電容量からの静電容量の変化量を示している。ここで、基準となる静電容量とは、図２（Ａ）に示す指ｆの影響がない状態にある容量素子１１の静電容量のことである。各棒グラフは、図２（Ｂ）に示すタッチ状態（「Ｔ」と表示）と、図２（Ｃ）に示すプッシュ状態（「Ｐ」と表示）と、に分けて示している。
【００５５】
図３に示すコントローラｃの判定部ｃ１は、入力操作部１４における指ｆによる操作位置のＸ軸方向及びＹ軸方向の座標を、各Ｘ電極１２及び各Ｙ電極１３から得られる静電容量の変化量により算出する。つまり、判定部ｃ１は、図１０において、各Ｘ電極１２（Ｘ１，Ｘ２，Ｘ３，Ｘ４）が形成する容量素子１１における静電容量の変化量の比率により、指ｆによる操作位置のＸ座標を算出し、各Ｙ電極１３（Ｙ１，Ｙ２，Ｙ３，Ｙ４）が形成する容量素子１１における静電容量の変化量の比率により、指ｆによる操作位置のＹ座標を算出する。これにより、判定部ｃ１は、入力操作部１４における操作位置の座標を信号生成部ｃ２（図３参照）に出力する。
【００５６】
判定部ｃ１は、図２（Ｂ）に示すタッチ状態であるか図２（Ｃ）に示すプッシュ状態であるかの評価値として、各Ｘ電極１２または各Ｙ電極１３により形成される容量素子１１における静電容量の変化量の最大値を用いることが可能である。
【００５７】
また、判定部ｃ１は、図２（Ｂ）に示すタッチ状態であるか図２（Ｃ）に示すプッシュ状態であるかの評価値として、各Ｘ電極１２により形成される容量素子１１における静電容量の変化量の合算値（図１０におけるＸ軸に沿って示す棒グラフの各値の合算値であり、Ｘ合算値と呼ぶこととする。）を用いることも可能である。さらに、Ｘ合算値に代えて、各Ｙ電極１３により形成される容量素子１１における静電容量の変化量の合算値（図１０におけるＹ軸に沿って示す棒グラフの各値の合算値であり、Ｙ合算値と呼ぶこととする。）を用いてもよい。さらに、Ｘ合算値やＹ合算値に代えて、Ｘ合算値とＹ合算値とをさらに足し合わせた値を用いてもよい。
【００５８】
具体的には、判定部ｃ１には、第１の閾値と、当該第１の閾値より大きい第２の閾値と、が設定されている。そして、判定部ｃ１は、上記評価値が第１の閾値以上第２の閾値未満である場合にタッチ状態であると判定し、上記評価値が第２の閾値以上である場合にプッシュ状態であると判定する。そして、判定部ｃ１はその判定結果を信号生成部ｃ２（図３参照）に出力する。
【００５９】
判定部ｃ１には第１の閾値及び第２の閾値として任意の値を設定することが可能である。例えば、指の力が弱い女性や子供などのユーザ向けに第１の閾値及び第２の閾値を低く設定することや、指の力が強いユーザ向けに第１の閾値及び第２の閾値を高く設定することもできる。また、大きい指のユーザの場合、小さい指のユーザに比べて、入力操作部１４に接する指の面積が大きくなるため、タッチ状態でもプッシュ状態でも容量素子１１の変化量が大きくなる。そのため、大きい指のユーザ向けに第１の閾値及び第２の閾値を高く設定することもできる。
【００６０】
このように、本実施形態に係る入力装置１では、判定部ｃ１がタッチ状態であるかプッシュ状態であるかを正確に判定することが可能である。
【００６１】
信号生成部ｃ２は、判定部ｃ１からの出力信号に応じて操作信号を生成する。具体的には、信号生成部ｃ２では、タッチ状態とプッシュ状態とで異なる操作信号を生成する。
【００６２】
以上のように、本実施形態に係る入力装置１は、可動部を含まないため、長寿命であり、かつ防水性に優れている。
【００６３】
［電子機器］
（パーソナルコンピュータ）
電子機器としてパーソナルコンピュータに本実施形態に係る入力装置１を適用した例について説明する。図１１は、入力装置１の上面図である。入力操作部１４には、一般的なパーソナルコンピュータ用キーボードと同様のキー配列の文字や図柄が描かれている。
【００６４】
本例の場合、図８に示す電極構成を図１２に示す構成に変更してもよい。図１２に示す電極構成では、各容量素子１１が各キーに対応する位置になるように、Ｘ電極１２ｂ及びＹ電極１３ｂが配列されている。これにより、各キーの位置と入力操作部１４の各ユニットの位置とが一致するため、判定部ｃ１によって操作されたキーの位置をより的確に判定することが可能となる。
【００６５】
図１３〜１６は、本実施形態に係る入力装置１と、出力装置ｏ（図３参照）としての表示装置ｏ１と、を備えた電子機器ｚ（図３参照）としてのパーソナルコンピュータｚ１の概略構成図である。パーソナルコンピュータｚ１は、不図示の処理装置ｐ（図３参照）を有する。
【００６６】
パーソナルコンピュータｚ１がデスクトップ型の場合には、入力装置１が、処理装置ｐとしての本体及び表示装置ｏ１とは別体として構成される。本体と表示装置ｏ１とは、一体として構成されても、別体として構成されてもよい。また、入力装置１は、本体及び表示装置ｏ１に対して、ケーブルによって接続されていても、無線で接続されていてもよい。
【００６７】
一方で、パーソナルコンピュータｚ１がノートブック型の場合、入力装置１と、処理装置ｐと、表示装置ｏ１と、が一体として構成され、この場合、入力装置１のコントローラｃが処理装置ｐを兼ねていてもよい。
【００６８】
図１３について説明する。指ｆが入力操作部１４の各キーに対応するＸ軸（第１の軸）の座標及びＹ軸（第２の軸）の座標の位置に押圧力を加えるプッシュ操作を行うと、入力装置１の判定部ｃ１は、当該キーの位置がプッシュ状態になったと判定し、入力装置１の信号生成部ｃ２に出力する。これにより、信号生成部ｃ２は、プッシュ状態になった位置におけるキーの文字や図柄に対応した表示を行わせる操作信号を生成し、当該操作信号を処理装置ｐに出力する。処理装置ｐは当該操作信号に基づいて指令信号を生成し、表示装置ｏ１は当該指令信号に基づいた画像を表示する。このように、入力装置１を一般的なパーソナルコンピュータ用キーボードと同様に使用することが可能である。
【００６９】
次に、図１４について説明する。入力操作部１４に触れた状態の指ｆが入力操作部１４上を移動するタッチ操作を行うと、入力装置１の判定部ｃ１は、指ｆの移動軌跡に対応する位置がタッチ状態になったと判定し、入力装置１の信号生成部ｃ２に出力する。これにより、信号生成部ｃ２は、指ｆの移動軌跡に基づいてポインタｐを移動させる操作信号を生成し、当該操作信号を処理装置ｐに出力する。処理装置ｐは当該操作信号に基づいて指令信号を生成し、表示装置ｏ１は当該指令信号に基づいてポインタｐを移動させる。このように、入力装置１では、一般的なパーソナルコンピュータ用マウスやトラックパッドと同様に、ポインタを感覚的に移動させることが可能である。
【００７０】
また、ポインタｐが表示装置ｏ１においてアイコン（不図示）上にある状態で、入力操作部１４がプッシュ操作を受けると、入力装置１の判定部ｃ１は、プッシュ状態になったと判定し、入力装置１の信号生成部ｃ２に出力する。これにより、信号生成部ｃ２は、当該アイコンを選択状態にする操作信号を生成し、当該操作信号を処理装置ｐに出力する。処理装置ｐは当該操作信号に基づいて指令信号を生成し、表示装置ｏ１は当該指令信号に基づいてアイコンを選択状態にする。このように、入力装置１は、一般的なパーソナルコンピュータ用マウスやトラックパッドにおけるクリックやタップに対応する機能を有する。
【００７１】
また、ポインタｐが表示装置ｏ１においてアイコン上にある状態で、入力操作部１４が２連続のプッシュ操作を受けると、入力装置１の判定部ｃ１は、２連続で短時間のプッシュ状態になったと判定し、入力装置１の信号生成部ｃ２に出力する。これにより、信号生成部ｃ２は、当該アイコンを開かせる操作信号を生成し、当該操作信号を処理装置ｐに出力する。処理装置ｐは当該操作信号に基づいて指令信号を生成し、表示装置ｏ１は当該指令信号に基づいてアイコンを開く。このように、入力装置１は、一般的なパーソナルコンピュータ用マウスやトラックパッドにおけるダブルクリックやダブルタップに対応する機能を有する。
【００７２】
次に、図１５について説明する。入力操作部１４に触れた状態の指ｆが入力操作部１４上を短時間で素早く移動するタッチ操作（「スワイプ操作」や「フリック操作」とも言う。）を行うと、入力装置１の判定部ｃ１は、タッチ状態の操作位置の移動方向を検出し、入力装置１の信号生成部ｃ２に出力する。これにより、信号生成部ｃ２は、操作位置の移動方向に基づいて画像を移動させる操作信号を生成し、当該操作信号を処理装置ｐに出力する。処理装置ｐは当該操作信号に基づいて指令信号を生成し、表示装置ｏ１は当該指令信号に基づいて画像を移動させる。また、同様の動作で、入力装置１は、表示装置ｏ１に表示された電子書籍のページをめくる動作を行わせることもできる。さらに、同様の動作で、入力装置１は、表示装置ｏ１に表示された表示画面を別の画面に変更する動作も行わせることもできる。
【００７３】
次に、図１６について説明する。入力操作部１４に触れた状態の２本の指ｆが入力操作部１４上で開くタッチ操作（「ピンチアウト操作」とも言う。）を行うと、入力装置１の判定部ｃ１は、タッチ状態の操作位置が相互に離れるように移動していることを検出し、入力装置１の信号生成部ｃ２に出力する。これにより、信号生成部ｃ２は、画像を拡大させる操作信号を生成し、当該操作信号を処理装置ｐに出力する。処理装置ｐは当該操作信号に基づいて指令信号を生成し、表示装置ｏ１は当該指令信号に基づいて画像を拡大させる。
【００７４】
同様に、入力操作部１４に触れた状態の２本の指ｆが入力操作部１４上で閉じるタッチ操作（「ピンチイン操作」とも言う。）を行うと、入力装置１の判定部ｃ１は、タッチ状態の操作位置が相互に近接するように移動していることを検出し、入力装置１の信号生成部ｃ２に出力する。これにより、信号生成部ｃ２は、画像を縮小させる操作信号を生成し、当該操作信号を処理装置ｐに出力する。処理装置ｐは当該操作信号に基づいて指令信号を生成し、表示装置ｏ１は当該指令信号に基づいて画像を縮小させる。
【００７５】
このように、本実施形態に係る入力装置１は、パーソナルコンピュータｚ１におけるキーボードの機能とポインティングデバイスの機能とを兼ねる。入力装置１は、キーボードとして使用するモードと、ポインティングデバイスとして用いるモードと、を切り替え可能な構成であってもよい。その場合、例えば、モード切り替えスイッチが、入力装置１や処理装置ｐに設けられていてもよい。
【００７６】
以上、パーソナルコンピュータｚ１における入力装置１による機能の一例を示したが、入力装置１は一般的な入力装置であるキーボード、マウス、トラックパッド、タッチパネル等が有するいずれの機能も実現できる。例えば、上記一般的な入力装置と同様の操作により、表示装置ｏ１に表示された文書やブラウザをスクロールすることもできる。
【００７７】
（その他の電子機器）
本実施形態に係る入力装置１は、パーソナルコンピュータ用キーボード以外にも、例えば、携帯端末装置用テンキーや、撮像装置用シャッターや、携帯型ミュージックプレイヤ用操作装置や、リモートコントローラにも同様に適用可能である。
【００７８】
＜第２の実施形態＞
図１７は本技術の第２の実施形態に係る入力装置２における１ユニットを示す部分断面図である。本実施形態に係る入力装置２のセンサ素子２１以外の構成は、第１の実施形態と同様であり、適宜その説明を省略する。図１７は第１の実施形態に係る図２に対応する図である。
【００７９】
［全体構成］
本実施形態に係る入力装置２は、第１の実施形態とは異なるセンサ素子２１と、第１の実施形態と同様の入力操作部１４と、を備える。センサ素子２１は、互いに対向する上電極２２及び下電極２３を備え、入力操作部１４とともに接触式センサ装置を構成する。入力操作部１４は、ユーザの指ｆによる操作を受ける押圧部である。センサ素子２１では、ユーザによる入力操作部１４へのプッシュ操作に伴う押圧力により、上電極２２と下電極２３とが接触するとともに導通する。
【００８０】
入力装置２を用いた電子機器は、第１の実施形態と同様のコントローラｃ（図３参照）を含む。第１の実施形態と同様にコントローラｃは判定部ｃ１及び信号生成部ｃ２を含む。判定部ｃ１は、上電極２２と下電極２３とが導通しているか否かに基づいて、入力操作部１４にプッシュ操作がなされたか否かを判定する。信号生成部ｃ２は、判定部ｃ１の判定に基づいて操作信号を生成する。
［入力装置］
【００８１】
センサ素子２１は、互いに対向する上フィルム２１ａ及び下フィルム２１ｂを有する。上フィルム２１ａの上面に入力操作部１４が接着されている。上フィルム２１ａの下面には上電極２２が形成されている。下フィルム２１ｂの上面における上電極２２に対向する位置には下電極２３が形成されている。上電極２２及び下電極２３は、入力操作部１４の凹部１４ｄのＺ軸方向下方に配置されている。
【００８２】
またセンサ素子２１は、上フィルム２１ａの下面と下フィルム２１ｂの上面とを接続し、上フィルム２１ａと下フィルム２１ｂとの間に空間を形成するとともに上電極２２と下電極２３とを離間させる支持部材２１ｃを有する。支持部材２１ｃは、入力操作部１４の第１の突起部１４ｂが形成された領域より外側の平坦部１４ａを支持している。
【００８３】
図１７（Ｂ）は、入力操作部１４がユーザの指ｆによるタッチ操作を受けているタッチ状態（第１の状態）を示している。タッチ状態では、指ｆは入力操作部１４に対して非常に小さい力を及ぼしている。このとき、指ｆは第１の突起部１４ｂに接触しているものの、凹部１４ｄ内に入り込んでいないため、第２の突起部１４ｃには接触していない。したがって、タッチ状態では、第１の突起部１４ｂは指ｆに対して圧力を加えているものの、第２の突起部１４ｃは指ｆに対して圧力を加えていない。タッチ状態では、センサ素子２１は図１７（Ａ）に示す状態から変化していない。
【００８４】
図１７（Ｃ）は、入力操作部１４が指ｆによるプッシュ操作を受けているプッシュ状態（第２の状態）を示している。図１７（Ｃ）に示すプッシュ状態では、図１７（Ｂ）に示すタッチ状態から、指ｆが入力操作部１４にＺ軸方向下方に押し付けられることより、指ｆが変形して凹部１４ｄに入り込むとともに第２の突起部１４ｃに接触する。
【００８５】
そのため、タッチ状態とプッシュ状態とでは、指ｆに入力操作部１４から反作用として加わる圧力の分布が異なる。これにより、ユーザは、プッシュ状態とタッチ状態とで異なる感触（操作感）を受けるため、タッチ状態とプッシュ状態とを直感的に識別可能である。
【００８６】
また、プッシュ状態では、指ｆにより押圧された入力操作部１４とともに上フィルム２１ａがＺ軸方向下方に撓み、上電極２２が下電極２３に接触する。これにより、上電極２２と下電極２３とが導通し、コントローラｃの判定部ｃ１（図３参照）はプッシュ状態であることを判定する。
【００８７】
入力操作部１４は、上電極２２と下電極２３とが接触するタイミングに合わせて、指ｆが第２の突起部１４ｃに接触するように構成されている。
【００８８】
（入力操作部）
上述したように本実施形態では、第１の実施形態と同様の入力操作部１４が用いられるが、第１の実施形態とは異なりプッシュ操作を受けると入力操作部１４自体が弾性変形してＺ軸方向下方に撓む。したがって、入力操作部１４は、第１の実施形態と同様にアクリル樹脂や、シリコンゴムを含むシリコン樹脂などで形成されていてもよいが、これらの材料よりも軟質の材料で形成されていてもよい。
【００８９】
（センサ素子）
センサ素子２１の上フィルム２１ａは、入力操作部１４がプッシュ操作を受けると、入力操作部１４とともに弾性変形してＺ軸方向下方に撓む。したがって、上フィルム２１ａは、弾性及び絶縁性を有する材料で形成される。このような材料としては、例えば、ＰＥＴ（Ｐｏｌｙｅｔｈｙｌｅｎｅ  ｔｅｒｅｐｈｔｈａｌａｔｅ）やポリエチレン、ポリプロピレンが挙げられる。さらに、上フィルム２１ａは、布や皮等のようなある程度の柔軟性を持ち薄く加工できる材料によって形成されていてもよい。また、下フィルム２１ｂは、上フィルムと同様の材料で形成されていてもよいが、弾性変形可能な性質を要しないため、上フィルム２１ａよりも硬質の材料で形成されていてもよい。
【００９０】
［電子機器］
（パーソナルコンピュータ）
電子機器としてパーソナルコンピュータに本実施形態に係る入力装置２を適用した例について説明する。第１の実施形態と同様に入力操作部１４には、一般的なパーソナルコンピュータ用キーボードと同様のキー配列の文字や図柄が描かれている（図１１参照）。そして、各キーに対応する位置にそれぞれ入力装置２の各ユニットが配置されている。
【００９１】
指ｆが入力操作部１４の各キーに対応するユニットに押圧力を加えるプッシュ操作を行うと、入力装置２のコントローラｃ（図３参照）の判定部ｃ１は、当該ユニットがプッシュ状態になったと判定し、入力装置２の信号生成部ｃ２に出力する。これにより、信号生成部ｃ２は、プッシュ状態になった入力装置２のユニットにおけるキーの文字や図柄に対応した表示を行わせる操作信号を生成し、当該操作信号を処理装置ｐに出力する。処理装置ｐは当該操作信号に基づいて指令信号を生成し、出力装置ｏとしての表示装置は当該指令信号に基づいた画像を表示する。このように、入力装置２を一般的なパーソナルコンピュータ用キーボードと同様に使用することが可能である。
【００９２】
（その他の電子機器）
本実施形態に係る入力装置２は、パーソナルコンピュータ用キーボード以外にも、例えば、携帯端末装置用テンキーや、撮像装置用シャッターや、携帯型ミュージックプレイヤ用操作装置や、リモートコントローラにも同様に適用可能である。
【００９３】
［比較例］
（比較例１）
図１８は本実施形態の比較例１に係る入力装置３の部分断面図である。本比較例に係る入力装置３は、本実施形態に係る入力装置２と同様の上下接点式のセンサ素子２１と、パンタグラフ式の入力操作部３４と、を有する。
【００９４】
入力操作部３４はユーザの指ｆによりプッシュ操作を受けるキートップ３４ａと、キートップ３４ａの移動方向を規制するためのパンタグラフ３４と、を有する。パンタグラフ３４は、その中心がＸＹ平面の面内方向において位置決めされており、キートップ３４ａのＸ軸方向及びＹ軸方向の移動を規制している。これにより、キートップ３４ａは、ＸＹ平面に平行な状態を保ちつつ、Ｚ軸方向へのスライド移動が可能となる。
【００９５】
また、入力装置３は、センサ素子２１の上フィルム２１ａ上における上電極２２の裏側に配置され、キートップ３４ａの中央部分をセンサ素子２１上に保持するラバードーム３４ｃを有する。ラバードーム３４ｃは、センサ素子２１側に開口したゴム製の椀形の構造体であり、その中央部からセンサ素子２１側に突出する押圧部３４ｄを有する。
【００９６】
図１８（Ａ）に示すキートップ３４ａに力が加わっていない状態では、ラバードーム３４ｃが変形しておらず、押圧部３４ｄがセンサ素子２１の上フィルム２１ａから離間している。
【００９７】
図１８（Ａ）に示す状態から、キートップ３４ａが押圧され、キートップ２３ａが押圧部３４ｄとともにＺ軸方向下方に変位すると、図１８（Ｂ）に示すようにラバードーム３４ｃが弾性変形するとともに押圧部３４ｄがセンサ素子２１の上フィルム２１ａに当接する。
【００９８】
図１８（Ｂ）に示す状態から、キートップ３４ａがさらに押圧され、キートップ２３ａが押圧部３４ｄとともにＺ軸方向下方に変位すると、図１８（Ｃ）に示すように押圧部３４ｄがセンサ素子２１の上フィルム２１ａをＺ軸方向下方に撓ませ、上フィルム２１ａの上電極２２が下フィルム２１ｂの下電極２３に当接する。これにより、上電極２２と下電極２３とが導通する。
【００９９】
図１９は、指ｆにより押圧されたキートップ３４ａのＺ軸方向下方への変位ｄと、キートップ３４ａから指ｆに加わる反力Ｆと、の関係を示すグラフである。
【０１００】
図１８（Ａ）に示す変位ｄ及び反力Ｆがゼロの状態から、図１８（Ｂ）に示す変位ｄ１の状態となるまで、ラバードーム３４ｃの弾性回復力により反力Ｆは単調増加する。そして、図１８（Ｂ）に示す変位ｄ１の状態からキートップ３４ａが押し下げられると、ラバードーム３４ｃの弾性回復力と、下方に撓ませられた上フィルム２１ａの弾性回復力と、が反力Ｆとして指ｆに加わるようになる。
【０１０１】
図１８（Ｂ）に示す状態から図１８（Ｃ）に示す状態になるまでの過程において、上フィルム２１ａの弾性回復力は変位ｄが大きくなるにつれて単調増加するのに対し、ラバードーム３４ｃは、変位ｄ２において弾性回復力が極大となるように構成されている。そのため、変位ｄ２を超えると、反力Ｆが一時的に減少する。そして、反力Ｆは、変位ｄ３を超えると再び単調増加するようになる。
【０１０２】
このように、入力装置３では、キートップ３４ａが指ｆによってプッシュ操作される際に、指ｆへの反力Ｆの一時的な減少が生じる。この反力Ｆの減少が、指ｆに加わる反力Ｆの単調な変化とは異なる感触（クリック感）としてユーザに認識される。ユーザはこの感触によってプッシュ操作が的確に行われたか否かを判別することができる。
【０１０３】
以上のように、比較例１に係る入力装置３でも、ユーザがプッシュ状態を認識可能である。
【０１０４】
しかしながら、比較例１に係る入力装置３は、入力操作部３４にパンタグラフ３４ｂなどの機械的構成を含む。一方、本実施形態に係る入力装置２は、入力操作部１４に機械的構成を含まない。したがって、本実施形態に係る入力装置２では、比較例１に係る入力装置３より、部品点数が少なく、簡単な構成であるため、製造コストを低下させることができるとともに製造工程を短縮することができる。
【０１０５】
また、比較例１に係る入力装置３は、プッシュ操作を受ける際に繰り返し変形と回復とを繰り返すラバードーム３４ｃを含む。一般的なラバードーム３４ｃは、プッシュ操作が繰り返されるにつれて劣化する消耗品である。一方、本実施形態に係る入力装置２は、比較例１に係るラバードーム３４ｃに対応する構成を含まない。したがって、本実施形態に係る入力装置２は比較例１に係る入力装置３よりも耐久性に優れる。
【０１０６】
（比較例２）
図２０は本実施形態の比較例２に係る入力装置４の部分断面図である。本比較例に係る入力装置４は、本実施形態に係る入力装置２と同様の上下接点式のセンサ素子２１と、メタルドーム式の入力操作部４４と、を有する。
【０１０７】
入力操作部４４は、センサ素子２１の上フィルム２１ａにおける上電極２２とは反対側に配置されたメタルドーム４４ｂと、当該メタルドーム４４ｂの上からセンサ素子２１の上フィルム２１ａを覆うカバー部材４４ｃと、を有する。メタルドーム４４ｂは、センサ素子２１側に開口した金属製の椀形の構造体である。カバー部材４４は、センサ素子２１の上フィルム２１ａに密着しており、メタルドーム４４ｂ上の部分に当該メタルドーム４４ｂに対して隙間をあけて隆起する押圧部４４ｃを有する。
【０１０８】
図２０（Ａ）に示す押圧部４４ｃに力が加わっていない状態では、押圧部４４ｃがメタルドーム４４ｂから離間している。
【０１０９】
押圧部４４ｃは、図２０（Ａ）に示す状態から押圧され、弾性変形するとともにＺ軸方向下方に変位すると、図２０（Ｂ）に示すようにメタルドーム４４ｂに当接する。
【０１１０】
押圧部４４ｃは、図２０（Ｂ）に示す状態からさらに押圧され、Ｚ軸方向下方に変位すると、図２０（Ｃ）に示すようにメタルドーム４４ｃを介してセンサ素子２１の上フィルム２１ａを押圧してＺ軸方向下方に撓ませる。これにより、上フィルム２１ａの上電極２２が下フィルム２１ｂの下電極２３に当接するとともに導通する。
【０１１１】
図２０（Ｂ）に示す状態から図２０（Ｃ）に示す状態になるまでの過程において、メタルドーム４４ｂはその曲率が小さくなるように弾性変形する。メタルドーム４４ｂは、比較例１に係るラバードーム３４ｃと同様に、図２０（Ｂ）に示す状態から図２０（Ｃ）に示す状態になるまでの過程において弾性回復力が極大となる変位を有するように構成されている。そのため、当該変位を超えると、指ｆに加わる反力が一時的に減少する。その後、指ｆに加わる反力は、再び単調増加するようになる。
【０１１２】
このように、入力装置４では、押圧部４４ｃが指ｆによってプッシュ操作される際に、指ｆへの反力の一時的な減少が生じる。この反力の減少が、指ｆに加わる反力の単調な変化とは異なる感触（クリック感）としてユーザに認識される。ユーザはこの感触によってプッシュ操作が的確に行われたか否かを判別することができる。
【０１１３】
以上のように、比較例２に係る入力装置４でも、ユーザがプッシュ状態を認識可能である。
【０１１４】
比較例２に係る入力装置４は、プッシュ操作を受ける際に繰り返し変形と回復とを繰り返すメタルドーム４４ｂを含む。一般的なメタルドーム４４ｂは、プッシュ操作が繰り返されるにつれて劣化する消耗品である。一方、本実施形態に係る入力装置２では、プッシュ操作を受けた入力操作部１４は、図１７（ｃ）に示すように僅かに変形するものの、メタルドーム４４ｂに比べるとその変形量は格段に小さい。したがって、本実施形態に係る入力装置２は比較例２に係る入力装置４よりも耐久性に優れる。
【０１１５】
（その他の比較例）
本実施形態に関連する技術として、振動発生素子を有し、プッシュ操作が行われると当該振動発生素子がバイブレーションを発生するように構成された入力装置が知られている。このような入力装置では、振動素子がバイブレーションの感触をユーザに付与することによって、ユーザがプッシュ操作を行ったことを認識できる。
【０１１６】
しかしながら、このような入力装置は、振動素子や、当該振動素子を駆動するための機構を新たに備える必要がある。そのため、入力装置の部品点数が増える。一方、本実施形態に係る入力装置２では、部品点数が少なく、簡単な構成であるため、製造コストを低下することができるとともに製造工程を短縮することができる。
【０１１７】
＜第３の実施形態＞
図２１は本技術の第３の実施形態に係る入力装置５における１ユニットを示す部分断面図である。本実施形態に係る入力装置５の入力操作部５４以外の構成は、第１の実施形態と同様であり、適宜その説明を省略する。図２１は第１の実施形態に係る図２に対応する図である。
【０１１８】
［全体構成］
本実施形態に係る入力装置５は、第１の実施形態と同様の容量素子１１と、第１の実施形態とは異なる入力操作部５４と、を備える。容量素子１１及び入力操作部５４は相互キャパシタンス方式の静電容量型のセンサ装置を構成する。入力操作部５４は、ユーザの指ｆによる操作を受ける押圧部である。容量素子１１は、ユーザによる入力操作部５４への操作に伴う指ｆの近接により、静電容量が変化する。
【０１１９】
入力装置５を用いた電子機器は、第１の実施形態と同様のコントローラｃ（図３参照）を含む。第１の実施形態と同様にコントローラｃは判定部ｃ１及び信号生成部ｃ２を含む。判定部ｃ１は、基準となる静電容量からの容量素子１１の静電容量の変化量に基づいて、入力操作部５４にどのような操作がなされたかを判定する。信号生成部ｃ２は、判定部ｃ１の判定に基づいて操作信号を生成する。
【０１２０】
［入力装置］
入力操作部５４は、互いに対向する上シート５４ｆ及び下シート５４ａを有する。また入力操作部５４は、上シート５４ｆの下面と下シート５４ａの上面との間に配置され、上シート５４ｆと下シート５４ａとの間に空間５４ｃを形成する支持部材５４ｅを有する。下シート５４ａには、上シート５４ｆ側（Ｚ軸方向上側）に突出する突起部５４ｂが形成されている。支持部材５４ｅは、下シート５４ａにおける突起部５４ｂが形成された領域より外側に配置されている。突起部５４ｂは、空間５４ｃにおいて上シート５４ｆから離間している。
【０１２１】
入力操作部５４の上シート５４ｆは、弾性及び絶縁性を有する材料で形成される。そのような材料としては、例えば、ＰＥＴ（Ｐｏｌｙｅｔｈｙｌｅｎｅ  ｔｅｒｅｐｈｔｈａｌａｔｅ）やポリエチレン、ポリプロピレンが挙げられる。さらに、上シート５４ｆは、布や皮等のようなある程度の柔軟性を持ち薄く加工できる材料によって形成されていてもよい。
【０１２２】
一方、入力操作部５４の下シート５４ｆは、容易に変形しない絶縁体材料で形成される。そのような材料としては、例えば、ポリエチレンテフタレートやシリコンやポリエチレンやポリプロピレンやアクリルやポリカーボネートやゴム材料が挙げられる。下シート５４ｆの形成には、例えば、上記材料で形成されたフィルムや成型体や繊維布が用いられる。
【０１２３】
図２１（Ｂ）は、入力操作部５４がユーザの指ｆによるタッチ操作を受けているタッチ状態（第１の状態）を示している。タッチ状態では、指ｆは入力操作部５４に対して非常に小さい力を及ぼしている。このとき、指ｆが第１の上シート５４ｆに接触しているものの、上シート５４ｆがほぼ変形していない。したがって、タッチ状態では、上シート５４ｆによって指ｆの接触面全域において略均一な圧力が加わる。
【０１２４】
図２１（Ｂ）に示すタッチ状態の容量素子１１の静電容量は、導電体である指ｆの影響により、図２１（Ａ）に示す指ｆの影響がない状態の容量素子１１の静電容量よりも低くなる。
【０１２５】
図２１（Ｃ）は、入力操作部５４が指ｆによるプッシュ操作を受けているプッシュ状態（第２の状態）を示している。図２１（Ｃ）に示すプッシュ状態では、図２１（Ｂ）に示すタッチ状態から、入力操作部５４の上シート５４ｆが押圧されることにより、上シート５４ｆにおける押圧を受ける部分が空間５４ｅに入り込むとともに、上シート５４ｆが下シート５４ａの突起部５４ｂに接触する。このとき、上シート５４ｆは下シート５４ａの突起部５４ｂの形状に合わせて変形する。したがって、指ｆに押圧された上シート５４ｆは、隣接する突起部５４ｂの間隙５４ｄに入り込む。
【０１２６】
このように、プッシュ状態ではタッチ状態よりも、指ｆが容量素子１１に近接する。そのため、図２１（Ｃ）に示すプッシュ状態の容量素子１１の静電容量は、図２１（Ｂ）に示すタッチ状態の容量素子１１の静電容量よりもさらに低くなる。
【０１２７】
本実施形態では、プッシュ状態において、突起部５４ｄが上シート５４ｆを介して指ｆに刺激を加える。すなわち、タッチ状態では上シート５４ｆによって指ｆの接触面全域において略均一な圧力が加わるのに対し、プッシュ状態では上シート５４ｆによって指ｆの接触面に対して不均一な圧力が加わる。具体的には、プッシュ状態では、上シート５４ｆにおける突起部５４ｂと接触している部分では指ｆに加わる圧力が相対的に高く、上シート５４ｆにおける突起部５４ｂと接触していない部分（間隙５４ｄに入り込んだ部分）では指ｆに加わる圧力が相対的に低い。
【０１２８】
そのため、本実施形態では、タッチ状態とプッシュ状態とで、指ｆに上シート５４ｆから反作用として加わる圧力の分布が異なる。これにより、ユーザは、プッシュ状態とタッチ状態とで異なる感触（操作感）を受けるため、タッチ状態とプッシュ状態とを直感的に識別可能である。
【０１２９】
また、コントローラｃの判定部ｃ１（図３参照）は、ユーザが入力操作部５４の感触によってタッチ状態とプッシュ状態とを識別するタイミングに合わせて、タッチ状態とプッシュ状態とを判別可能なように構成されている。
【０１３０】
本実施形態に係る入力装置５はコントローラｃの判定部ｃ１（図３参照）によってタッチ状態とプッシュ状態とを判定可能であるため、第１の実施形態に係る入力装置１と同様の機能が達成される。したがって、入力装置５は、第１の実施形態に係る入力装置１と同様に、パーソナルコンピュータや、携帯端末装置や、撮像装置や、携帯型ミュージックプレイヤや、リモートコントローラなどの電子機器に適用可能である。
【０１３１】
なお、本実施形態では、突起部５４ｂが下シート５４ａに形成されているが、突起部はこれと異なる構成を採ることもできる。例えば、突起部は、容量素子１１の上シート５４ｆに対向する位置に直接形成されていてもよい。
【０１３２】
＜第４の実施形態＞
図２２は本技術の第４の実施形態に係る入力装置６における１ユニットを示す部分断面図である。本実施形態に係る入力装置６における入力操作部６４の上シート６４ｆ以外の構成は、第３の実施形態と同様であり、適宜その説明を省略する。図２２は第３の実施形態に係る図２１に対応する図である。
【０１３３】
本実施形態に係る上シート６４ｆには、下シート５４ａの各突起部５４ｂに対向する位置にそれぞれ開口部６４ｇが形成されている。
【０１３４】
図２２（Ｂ）は、入力操作部６４がユーザの指ｆによるタッチ操作を受けているタッチ状態（第１の状態）を示している。タッチ状態では、指ｆは入力操作部６４に対して非常に小さい力を及ぼしている。指ｆが第１の上シート５４ｆに接触しているものの、上シート５４ｆがほぼ変形していない。したがって、タッチ状態では、上シート５４ｆによって指ｆの接触面全域において略均一な圧力が加わる。
【０１３５】
図２２（Ｂ）に示すタッチ状態の容量素子１１の静電容量は、導電体である指ｆの影響により、図２２（Ａ）に示す指ｆの影響がない状態の容量素子１１の静電容量よりも低くなる。
【０１３６】
図２２（Ｃ）は、入力操作部６４が指ｆによるプッシュ操作を受けているプッシュ状態（第２の状態）を示している。図２２（Ｃ）に示すプッシュ状態では、図２２（Ｂ）に示すタッチ状態から、入力操作部６４の上シート６４ｆが押圧されることにより、上シート６４ｆにおける押圧を受けた部分が空間５４ｅに入り込む。これとともに、下シート５４ａの各突起部５４ｂが対向する上シート６４ｆの各開口部６４ｇを挿通し、各突起部５４ｂが各間隙５４ｇに入り込む。
【０１３７】
このように、プッシュ状態ではタッチ状態よりも、指ｆが容量素子１１に近接する。そのため、図２２（Ｃ）に示すプッシュ状態の容量素子１１の静電容量は、図２２（Ｂ）に示すタッチ状態の容量素子１１の静電容量よりもさらに低くなる。
【０１３８】
本実施形態では、プッシュ状態において、上シート６４ｆの開口部６４ｇを挿通した突起部５４ｄが直接的に指ｆに刺激を加える。すなわち、タッチ状態では上シート６４ｆによって指ｆの接触面全域において略均一な圧力が加わるのに対し、プッシュ状態では上シート６４ｆによって指ｆの接触面に対して不均一な圧力が加わる。具体的には、プッシュ状態では、上シート６４ｆにおける開口部６４ｇを突起部５４ｂが挿通した部分では指ｆに加わる圧力が相対的に高く、上シート６４ｆにおける開口部６４ｇが形成されていない部分（間隙５４ｄに入り込んだ部分）では指ｆに加わる圧力が相対的に低い。
【０１３９】
そのため、本実施形態では、タッチ状態とプッシュ状態とで、入力操作部６４から指ｆに加わる圧力の分布が異なる。これにより、ユーザは、プッシュ状態とタッチ状態とで異なる感触（操作感）を受けるため、タッチ状態とプッシュ状態とを直感的に識別可能である。
【０１４０】
また、コントローラｃの判定部ｃ１（図３参照）は、ユーザが入力操作部６４の感触によってタッチ状態とプッシュ状態とを識別するタイミングに合わせて、タッチ状態とプッシュ状態とを判別可能なように構成されている。
【０１４１】
＜第５の実施形態＞
図２３は本技術の第５の実施形態に係る入力装置７における１ユニットを示す部分断面図である。本実施形態に係る入力装置７の入力操作部７４以外の構成は、第１の実施形態と同様であり、適宜その説明を省略する。図２３は第１の実施形態に係る図２に対応する図である。
【０１４２】
［全体構成］
本実施形態に係る入力装置７は、第１の実施形態と同様の容量素子１１と、第１の実施形態とは異なる入力操作部７４と、を備える。容量素子１１及び入力操作部７４は相互キャパシタンス方式の静電容量型のセンサ装置を構成する。入力操作部７４は、ユーザの指ｆによる操作を受ける押圧部である。容量素子１１は、ユーザによる入力操作部７４への操作に伴う指ｆの近接により、静電容量が変化する。
【０１４３】
入力装置７を用いた電子機器は、第１の実施形態と同様のコントローラｃ（図３参照）を含む。第１の実施形態と同様にコントローラｃは判定部ｃ１及び信号生成部ｃ２を含む。判定部ｃ１は、基準となる静電容量からの容量素子１１の静電容量の変化量に基づいて、入力操作部７４にどのような操作がなされたかを判定する。信号生成部ｃ２は、判定部ｃ１の判定に基づいて操作信号を生成する。
【０１４４】
［入力装置］
入力操作部７４は、容量素子１１に対向するシート７４ａと、シート７４ａと容量素子１１との間に空間７４ｄを形成するように配置された支持部材７４ｅと、を有する。シート７４ａの中央部には容量素子１１とは反対側（Ｚ軸方向上側）に延びた複数の突起部７４ｂが配列されている。すなわち、互いに隣接する突起部７４ｂ間には間隙７４ｃが形成されている。支持部材７４ｅは、シート７４ａにおける突起部７４ｂが形成された領域より外側に配置されている。
【０１４５】
入力操作部７４のシート７４ａは、弾性及び絶縁性を有する材料で形成される。そのような材料としては、例えば、ポリエチレンテフタレートやシリコンやポリエチレンやポリプロピレンやアクリルやポリカーボネートやゴム材料が挙げられる。シート７４ａの形成には、例えば、上記材料で形成されたフィルムや成型体や繊維布が用いられる。
【０１４６】
支持部材７４ｅは、シート７４ａに対する指ｆによる操作によって容易に変形しない硬質の樹脂材料やセラミック材料などで形成される。
【０１４７】
図２３（Ｂ）は、入力操作部７４がユーザの指ｆによるタッチ操作を受けているタッチ状態（第１の状態）を示している。タッチ状態では、指ｆは入力操作部７４に対して非常に小さい力を及ぼしている。このとき、シート７４ａの突起部７４ｂに接触する指ｆは、突起部７４ｂに押し返される第１の圧力を受ける。
【０１４８】
図２３（Ｂ）に示すタッチ状態の容量素子１１の静電容量は、導電体である指ｆの影響により、図２３（Ａ）に示す指ｆの影響がない状態の容量素子１１の静電容量よりも低くなる。
【０１４９】
図２３（Ｃ）は、入力操作部７４が指ｆによるプッシュ操作を受けているプッシュ状態（第２の状態）を示している。図２３（Ｃ）に示すプッシュ状態では、図２３（Ｂ）に示すタッチ状態から、入力操作部７４押圧されることより、シート７４ａが容量素子１１側（Ｚ軸方向下側）に撓むとともに、シート７４ａの指ｆに押圧された部分が空間７４ｄ内に入り込む。
【０１５０】
このように、プッシュ状態ではタッチ状態よりも、指ｆが容量素子１１に近接する。そのため、図２３（Ｃ）に示すプッシュ状態の容量素子１１の静電容量は、図２３（Ｂ）に示すタッチ状態の容量素子１１の静電容量よりもさらに低くなる。
【０１５１】
本実施形態では、プッシュ状態において、シート７４ａがＺ軸方向下方に撓むことに伴うシート７４ａの曲率の変化によって、互い隣接する突起部７４ｂの先端が近接する。すなわち、シート７４ａがＺ軸方向下方に撓むにつれて、間隙７４ｃの上部の幅は狭くなる。
【０１５２】
そのため、図２３（Ｂ）に示す状態から図２３（Ｃ）に示す状態になる際、シート７４ａを押圧する指ｆは、突起部７４ｂに押し返される第１の圧力のみならず、互いに隣接する突起部７４ｂの先端部によって挟み込まれる第２の圧力も受ける。
【０１５３】
したがって、本実施形態では、タッチ状態とプッシュ状態とで、指ｆに上シート５４ｆから反作用として加わる圧力の分布が異なる。これにより、ユーザは、プッシュ状態とタッチ状態とで異なる感触（操作感）を受けるため、タッチ状態とプッシュ状態とを直感的に識別可能である。
【０１５４】
また、コントローラｃの判定部ｃ１（図３参照）は、ユーザが入力操作部７４の感触によってタッチ状態とプッシュ状態とを識別するタイミングに合わせて、タッチ状態とプッシュ状態とを判別可能なように構成されている。
【０１５５】
本実施形態に係る入力装置７はコントローラｃの判定部ｃ１（図３参照）によってタッチ状態とプッシュ状態とを判定可能であるため、第１の実施形態に係る入力装置１と同様の機能が達成される。入力装置７は、第１の実施形態に係る入力装置１と同様に、パーソナルコンピュータや、携帯端末装置や、撮像装置や、携帯型ミュージックプレイヤや、リモートコントローラなどの電子機器に適用可能である。
【０１５６】
＜第６の実施形態＞
図２４は本技術の第６の実施形態に係る入力装置８における１ユニットを示す部分断面図である。本実施形態に係る入力装置８における入力操作部８４の下シート８４ｆ以外の構成は、第５の実施形態と同様であり、適宜その説明を省略する。図２４は第５の実施形態に係る図２３に対応する図である。
【０１５７】
本実施形態に係る入力操作部８４は、容量素子１１と支持部材７４ｅとの間に下シート８４ａを有する。下シート８４ａは容量素子１１に接着されており、下シート８４ａの中央領域には第２の突起部８４ｂが形成されている。
【０１５８】
第２の突起部８４ｂは、シート７４ａ側（Ｚ軸方向上側）を向いており、空間７４ｄ内においてシート７４ａから離間している。また、第２の突起部８４ｂは、シート７４ａの間隙７４ｃに対向する位置に形成されている。第２の突起部８４ｂは互いに等間隔で形成されている。下シート８４ａにおける第２の突起部８４ｂが形成される領域は、シート７４ａにおける突起部７４ｂが形成される領域より狭い。
【０１５９】
下シート８４ａは、容易に変形しない絶縁体材料で形成される。そのような材料としては、例えば、ポリエチレンテフタレートやシリコンやポリエチレンやポリプロピレンやアクリルやポリカーボネートやゴム材料が挙げられる。下シート５４ｆの形成には、例えば、上記材料で形成されたフィルムや成型体や繊維布が用いられる。
【０１６０】
図２４（Ｂ）は、入力操作部８４がユーザの指ｆによるタッチ操作を受けているタッチ状態（第１の状態）を示している。タッチ状態では、指ｆは入力操作部８４に対して非常に小さい力を及ぼしている。このとき、シート８４ａの突起部８４ｂに接触する指ｆは、突起部８４ｂに押し返される第１の圧力を受ける。
【０１６１】
図２４（Ｂ）に示すタッチ状態の容量素子１１の静電容量は、導電体である指ｆの影響により、図２４（Ａ）に示す指ｆの影響がない状態の容量素子１１の静電容量よりも低くなる。
【０１６２】
図２４（Ｃ）は、入力操作部８４が指ｆによるプッシュ操作を受けているプッシュ状態（第２の状態）を示している。図２４（Ｃ）に示すプッシュ状態では、シート７４ａが容量素子１１側（Ｚ軸方向下側）に撓むとともに、シート７４ａの指ｆに押圧された部分が空間７４ｄ内に入り込んでいる。
【０１６３】
このように、プッシュ状態ではタッチ状態よりも、指ｆが容量素子１１に近接する。そのため、図２４（Ｃ）に示すプッシュ状態の容量素子１１の静電容量は、図２４（Ｂ）に示すタッチ状態の容量素子１１の静電容量よりもさらに低くなる。
【０１６４】
本実施形態では、プッシュ状態においてシート７４ａにおける間隙７４ｃの部分が第２の突起部８４ｂに突き上げられて変形している。
【０１６５】
本実施形態でも、第５の実施形態と同様に、シート７４ａを押圧する指ｆは、突起部７４ｂに押し返される第１の圧力と、互いに隣接する突起部７４ｂの先端部によって挟み込まれる第２の圧力と、を受ける。しかし、本実施形態では、シート７４ａが第２の突起部８４ｂに突き上げられているため、第１の圧力も第２の圧力も第５の実施形態とは異なる。
【０１６６】
一般的に、ユーザは視覚的に突起部７４ｂが形成されたシート７４ａを押圧したときの感触を予測可能な場合がある。しかし、本実施形態に係る入力装置８では、その外観から視認できない第２の突起部８４ｂの作用により、シート７４ａを押圧する指ｆに対してユーザの予測とは異なる感触を付与することが可能である。
【０１６７】
なお、第２の突起部８４ｂの配置は、シート７４ａを押圧したユーザに、予想とは異なる感触を付与するものであればよい。各第２の突起部８４ｂは、例えば、下シート８４ａにおける突起部７４ｂに対向する位置にそれぞれ形成されていてもよく、下シート８４ａにおけるシート７４ａの突起部７４ｂが形成された領域に対向する領域にランダムに形成されていてもよい。
【０１６８】
したがって、本実施形態では、タッチ状態とプッシュ状態とで、指ｆに上シート５４ｆから反作用として加わる圧力の分布が異なる。これにより、ユーザは、プッシュ状態とタッチ状態とで異なる感触（操作感）を受けるため、タッチ状態とプッシュ状態とを直感的に識別可能である。
【０１６９】
また、コントローラｃの判定部ｃ１（図３参照）は、ユーザが入力操作部８４の感触によってタッチ状態とプッシュ状態とを識別するタイミングに合わせて、タッチ状態とプッシュ状態とを判別可能なように構成されている。
【０１７０】
なお、本実施形態では、第２の突起部８４ｂが下シート８４ａに形成されているが、突起部はこれと異なる構成を採ることもできる。例えば、突起部は、容量素子１１のシート７４ａに対向する位置に直接形成されていてもよい。
【０１７１】
以上、本技術の実施形態について説明したが、本技術は上述の実施形態にのみ限定されるものではなく、本技術の要旨を逸脱しない範囲内において種々変更を加え得ることは勿論である。
【０１７２】
例えば、入力装置を厚さ方向に透明な構成とし、入力操作部とは反対側の面に出力装置としての表示装置を配置することで、タッチパネルディスプレイを構成することもできる。これにより、指によって表示装置上を操作できるようになるため、より直感的な操作が可能となり、操作性が格段に向上する。
【０１７３】
また、上記実施形態では入力装置を平板上としたが、入力装置の形状はこれに限らない。例えば、入力装置は、入力操作部を曲面に形成する構成や、入力装置自体が厚さ方向に自由に変形可能である構成でもよい。
【０１７４】
さらに、上記実施形態ではセンサ素子として静電容量センサや接触式センサを例に挙げて説明したが、上記以外にも、例えば、磁気センサ等の他のセンサ素子が採用されてもよい。
【０１７５】
なお、本技術は以下のような構成も採ることができる。
（１）押圧部と、複数の突起部と、を有し、上記押圧部は操作子による操作を受ける第１の面と当該第１の面とは反対の第２の面とを含み、上記複数の突起部は、上記第１の面が操作子により第１の押圧力を受ける第１の状態と、上記第１の面が操作子により上記第１の押圧力よりも大きい第２の押圧力を受ける第２の状態とで、操作子に対して反作用として加わる圧力の分布が異なるように構成されている入力操作部と、
上記第２の面に対向配置され、上記第１の状態と上記第２の状態とで異なる信号を出力するセンサ素子と、
を具備するセンサ装置。
（２）上記（１）に記載のセンサ装置であって、
上記センサ素子は、操作子の近接により静電容量が変化する容量素子である
センサ装置。
（３）上記（１）に記載のセンサ装置であって、
上記センサ素子は、上記第２の押圧力を受けることで相互に接触可能な１対の電極を有する接触式センサ素子である
センサ装置。
（４）上記（１）から（３）のいずれか１つに記載のセンサ装置であって、
上記複数の突起部は、上記第１の面に形成され、第１の突起部と、当該第１の突起部よりも低い第２の突起部と、により構成されている
センサ装置。
（５）上記（１）から（３）のいずれか１つに記載のセンサ装置であって、
上記押圧部は弾性変形可能であり、
上記入力操作部は、上記第２の面と上記センサ素子との間に配置された支持部と、上記第２の面に上記支持部を挟んで対向する第３の面と、を有し、
上記複数の突起部は、上記第３の面に形成されている
センサ装置。
（６）上記（５）に記載のセンサ装置であって、
上記押圧部における上記複数の突起部に対向する位置にそれぞれ開口部が形成されている
センサ装置。
（７）上記（１）から（３）のいずれか１つに記載のセンサ装置であって、
上記押圧部は弾性変形可能であり、
上記複数の突起部は上記第１の面に形成されている
センサ装置。
（８）上記（７）に記載のセンサ装置であって、
上記入力操作部は、上記第２の面と上記センサ素子との間に配置された支持部と、上記第２の面に上記支持部を挟んで対向する第３の面と、を有し、
上記複数の突起部は、上記第１の面に形成された第１の突起部と、上記第３の面に形成された第２の突起部と、により構成されている
センサ装置。
（９）押圧部と、複数の突起部と、を有し、上記押圧部は操作子による操作を受ける第１の面と当該第１の面とは反対の第２の面とを含み、上記複数の突起部は、上記第１の面が操作子により第１の押圧力を受ける第１の状態と、上記第１の面が操作子により上記第１の押圧力よりも大きい第２の押圧力を受ける第２の状態とで、操作子に対して反作用として加わる圧力の分布が異なるように構成されている入力操作部と、
上記第２の面に対向配置され、上記第１の状態と上記第２の状態とで異なる入力信号を出力するセンサ素子と、
上記入力信号に基づいて上記第１の状態から上記第２の状態への変化を判定する判定部を有するコントローラと、
を具備する入力装置。
（１０）上記（９）に記載の入力装置であって、
上記コントローラは、上記判定部が上記変化を判定したときに操作信号を生成する信号生成部をさらに有する
入力装置。
（１１）押圧部と、複数の突起部と、を有し、上記押圧部は操作子による操作を受ける第１の面と当該第１の面とは反対の第２の面とを含み、上記複数の突起部は、上記第１の面が操作子により第１の押圧力を受ける第１の状態と、上記第１の面が操作子により上記第１の押圧力よりも大きい第２の押圧力を受ける第２の状態とで、操作子に対して反作用として加わる圧力の分布が異なるように構成されている入力操作部と、
上記第２の面に対向配置され、上記第１の状態と上記第２の状態とで異なる入力信号を出力するセンサ素子と、
上記入力信号に基づいて上記第１の状態から上記第２の状態への変化を判定する判定部と、当該判定部が上記変化を判定したときに操作信号を生成する信号生成部と、を有するコントローラと、
上記操作信号に基づいて指令信号を生成する処理装置と、
上記指令信号に基づいた出力を行う出力装置と、
を具備する電子機器。
（１２）上記（１１）に記載の電子機器であって、
上記出力装置は表示装置であり、当該表示装置は上記指令信号に基づいた画像を表示する
電子機器。
【符号の説明】
【０１７６】
１…入力装置
１１…容量素子
１２…Ｘ電極
１３…Ｙ電極
１４…入力操作部
１４ａ…平坦部
１４ｂ…第１の突起部
１４ｃ…第２の突起部
１４ｄ…凹部
【図１】
2013156095.tif 000003
【図３】
2013156095.tif 000004
【図４】
2013156095.tif 000005
【図５】
2013156095.tif 000006
【図９】
2013156095.tif 000007
【図１１】
2013156095.tif 000008
【図１２】
2013156095.tif 000009
【図１３】
2013156095.tif 000010
【図１４】
2013156095.tif 000011
【図１５】
2013156095.tif 000012
【図１６】
2013156095.tif 000013
【図１８】
2013156095.tif 000014
【図１９】
2013156095.tif 000015
【図２】
2013156095.tif 000016
【図６】
2013156095.tif 000017
【図７】
2013156095.tif 000018
【図８】
2013156095.tif 000019
【図１０】
2013156095.tif 000020
【図１７】
2013156095.tif 000021
【図２０】
2013156095.tif 000022
【図２１】
2013156095.tif 000023
【図２２】
2013156095.tif 000024
【図２３】
2013156095.tif 000025
【図２４】
2013156095.tif 000026